(57)【要約】【課題】  本発明は、２メートル角以上の大サイズ基板を安全に保管・輸送できる基板保持用枠体とその搬送方法の提供を目的とする。【解決手段】  本発明は、断面が矩形状である平坦な金属枠材と該金属枠材で構成された平面視矩形状で四隅を連結部１６で連結されてなる金属枠部１１と、金属枠部１１の４辺の内側に延設して設けた前記基板を支持する基板支持板１３と、を少なくとも有した構成からなり、連結部１６は、非吸着部の非磁性体と該非磁性体の内側に磁性体からなる吸着部１７とを有し、吸着部１７を電磁石で吸着することにより上記の課題を解決する。【選択図】  図１
2014067770.tif 000002
【特許請求の範囲】
【請求項１】
四角形状で剛性のある板状物からなる基板を枠体に載せて保持する基板保持用枠体であって、
断面が矩形状である平坦な金属枠材と前記金属枠材を４隅で連結部により連結した平面視矩形状の金属枠部と、前記金属枠部の４辺の内側に延設して設けた前記基板を支持する基板支持板と、を少なくとも有した構成からなる前記基板保持用枠体であって、
前記連結部は、非吸着部の非磁性体と前記非磁性体の内側に磁性体からなる吸着部とを備えており、前記連結部の前記基板を載せる側の上面は、前記非磁性体の内側に前記吸着部の一つの平面として形成され、前記連結部の前記基板を載せない側の下面は、非磁性体のみで形成されていることを特徴とする基板保持用枠体。
【請求項２】
請求項１に記載した基板保持用枠体であって、少なくとも対向する１対の前記金属枠材に吸着ユニットを備え、前記吸着ユニットは、非吸着部の非磁性体と前記非磁性体の内側に磁性体からなる金属枠用吸着部とを備えており、
前記吸着ユニットの前記基板を載せる側の上面は、前記非磁性体の内側に前記金属枠用吸着部の一つの平面として形成され、前記吸着ユニットの前記基板を載せない側の下面は非磁性体のみで形成され、さらに、前記吸着ユニットは、前記吸着ユニットの上面と前記金属枠材の前記基板を載せる側の面が平滑になるように備えられていることを特徴とする基板保持用枠体。
【請求項３】
前記吸着部と前記金属枠用吸着部は、軟磁性材料からなることを特徴とする請求項１または２に記載の基板保持用枠体。
【請求項４】
前記吸着部及び前記金属枠用吸着部を、枠体搬送装置のロボットハンドに取り付けられたシリンダの先端に設けた電磁石で吸着して懸垂搬送することを特徴とする、請求項１から請求項３のいずれか１項に記載した基板保持用枠体の搬送方法。
【発明の詳細な説明】
【技術分野】
【０００１】
本発明は、剛性であり撓み性を有する矩形状（四角形状）の基板を、同じく矩形状の
基板保持用枠体の内側に設けた基板支持板に１枚ずつ載せ、該基板を載せた状態の基板保持用枠体を多段に積み重ねして保管・搬送する用途の基板保持用枠体と該基板保持用枠体の搬送方法等に関するものである。
【０００２】
基板の例としては薄板ガラス基板があり、特には、プラズマディスプレイ、有機ＥＬディスプレイ、液晶ディスプレイ用のカラーフィルター基板、それらの中間製品、その他各種基板等を挙げることができる。
これら大型の基板は撓みやすく、四週縁辺部のみを支持した場合には、水平にやや下方に湾曲した状態になるが、多段積みした際に基板の相互に接触しないようにし、かつ高い密度に積層する必要がある。さらに、搬送時や保管時の振動による破損や割れから基板を保護する必要があり、塵埃の混入発生や汚染を防止する必要もある。
【０００３】
本発明は、基板保持用枠体と該基板保持用枠体の搬送方法に関するものであり、特に、基板保持用枠体を従来のような、枠体の左右に張り出した手掛部や係合部を把持する方法によらずに吸着して搬送可能にすることを考慮した基板保持用枠体とその搬送方法等に関するものである。
【背景技術】
【０００４】
液晶ディスプレイ、プラズマディスプレイ、有機ＥＬディスプレイ用のカラーフィルター等に用いられる基板は、損傷したり、汚したりすることなく搬送及び保管することが重要である。このような板状物を搬送等する際は、基板同士が接触しないように所定の間隔で並列に収納することが有効である。
しかし、これら液晶ディスプレイ、プラズマディスプレイ、有機ＥＬディスプレイに代表されるフラットパネルディスプレイ製品は、表示画面サイズが大型化していることと、小サイズ画面の物であってもコスト面から多面付けの状態で製造する必要もあり、用いられる基板やその中間製品は大サイズ化している。基板はさらに１．５メートル角位以上の大サイズ化が求められており、保管スペースや取り扱い装置の問題からこのような基板を高密度で安全に保管し、取り扱いできるようにする必要がある。
【０００５】
特許文献１は、ディスプレイ用基板収納用トレイ、並びに、そのディスプレイ用基板収納トレイ内に収納されたディスプレイ用基板の取り出し機構および取り出し方法に関する発明である。この発明では、上側のディスプレイ用基板収納用トレイ１０の係合部１３と下側のディスプレイ用基板収納用トレイ１０の係合部１３との間に、チャッキング用のチャック爪を挿入することができ、そのチャック爪が、上側のディスプレイ用基板収納用トレイ１０の係合部１３に係合されることによって、上側のディスプレイ用基板収納用トレイ１０のみを、下側のディスプレイ用基板収納用トレイ１０から分離して搬送するものである（段落番号００３６）。係合部が外周枠から外側に延出しているため、搬送時の接触により、変形が生じる事があり、これによりロボットハンドによる把持不良が発生する事がある問題がある。
【０００６】
特許文献２は、部品トレイを部品挿入装置へ供給する装置に関し、昇降機構と吸着機構で部品トレイを把持することを記載している。真空圧によって部品トレイを吸引把持するバキュームパッドによって構成され、複数のロッド内に吸引通路が形成され、上端からパイプを介して真空装置に接続されている部品トレイ供給装置であるが（段落番号００１５）、吸着を解除する際に、放出される加圧エアーの散乱を防ぐ記載がないため、異物が発生または散乱する問題がある。
【先行技術文献】
【特許文献】
【０００７】
【特許文献１】特開２００４−５９１１６号公報
【特許文献２】特開平１１−３１２８９５号公報
【０００８】
先行文献に記載されるものではないが、本願出願前の関係技術について説明する。
図７は、従来の基板保持用枠体の一般的形態である。基板保持用枠体１０は、断面が矩形状の金属枠体を組み立てして、対向する１対の金属枠材１１a、１１ｂと他の対向する１対の金属枠材１１c、１１dからなる平面視矩形状の金属枠部１１で構成されている。金属枠部１１の４隅は、連結部１６により連結されている。枠体の全体を平面にする場合もあるが、対向する１対の金属枠材１１c、１１dの中央部を下方に湾曲させる場合も多い。
【０００９】
四周の金属枠部１１から内側に向かって、基板支持板１３が延設されており、薄板基板は、基板支持板１３に周縁がかかるように載せられる。基板支持板１３で囲まれる領域Ｋは、何もない空間域である。
左右の辺（一般に基板の長辺側を載せる辺）には手掛部１５が形成され、手掛部１５は、基板保持用枠体１０を搬送する際、搬送装置のロボットハンドのための把持部にされる。
【００１０】
図８は、従来の基板保持用枠体１０の梱包状態を示す図である。
基板を基板保持用枠体１０に載せて、１００〜１５０段の多段積み重ね体１００にし、上面に上蓋３１を被せ、下段にインナーパレット３０をあてがい、ベルト３２で結束し、さらに防振パレット４０に乗せた梱包状態にして搬送するのは一般的である。
【００１１】
図９は、従来の基板保持用枠体の搬送方法を示す図である。搬送装置の一方のみを図示しているが他方側にも１対の機構があり同様に動作するものである。また、Ａ１、Ａ２、Ａ３を載せた状態を示しているが、基板を載せない状態も同様である。
まず、図９（Ａ）（Ｂ）のように、枠体移送装置の懸垂機構であるシリンダ５１が下降する。次に、（Ｃ）のように、懸垂用シリンダ６１の引き掛け部６２を枠体１０の手掛部１５の下面に差し込みする。この状態で、懸垂用シリンダ６１が上昇すれば、引き掛け部６２と手掛部１５が係合し、その状態（Ｄ）で、基板保持用枠体１０を移送できる。このように従来は、手掛部１５で、枠体を把持する方法が一般的におこなわれている。
本発明における懸垂機構とは、枠体搬送装置のロボットハンドに取り付けられたシリンダの先端に設けた電磁石を含めた装置である。
【発明の概要】
【発明が解決しようとする課題】
【００１２】
液晶ディスプレイ、プラズマディスプレイ、有機ＥＬディスプレイに代表される各種フラットパネルディスプレイに用いられる基板は、第６世代（１８５０×１５００ｍｍ）、第７世代（２２００×１９００ｍｍ）、第８世代（２５００×２２００ｍｍ）と大型化しこれに伴い基板１枚の付加価値が高くなってきている。従って、製造工程における基板の取り扱いは勿論、工程間における基板の搬送および保管についても異物や傷などが付かない様に取り扱うことが今まで以上に重要になってきている。
【００１３】
このような基板を載置した枠体を積層して搬送する方式で、基板を載置し多段に積み重ねた枠体を一枚ずつ取り出す際は、ロボットハンドが枠体の両側面から枠体を把持し移動する。基板を載置する枠体の両側面には、このロボットハンドが把持する手掛部１５が枠体から外方向に突出して取り付けられている。
基板の積載効率を上げる為、枠体を高密度に重ねる工夫がなされており、第６世代サイズ（以下、「Ｇ６サイズ」）の基板を積層する枠体の間隔は、１０ｍｍ程度まで狭くすることも可能となっている。これに伴い外周に突出した手掛部１５の間隔も同じように狭くなる。従って、ロボットハンドが積層された枠体の両側面の突出した手掛部１５を掴む裕度が狭くなるため、手掛部１５がわずかな変形した場合でも、ロボットハンドが手掛部１５を把持できなくなることが生じる。
ロボットハンドが把持する手掛部１５は、外周枠から外側に延出している為、搬送時の接触により変形が生じることがあり、これによりロボットハンドによる把持不良が発生する事がる。本発明は、このような把持不良を解決しようとするものである。
【００１４】
別の課題として基板の大型化に伴い基板保持枠体も大型化及び高重量となり、枠体の積み重ねや取り出し操作時に使用するロボット、保管装置、開梱装置、梱包装置も大型となり設備場所の観点から省スペース化の要求がある。また、積層した梱包物をトラック輸送や海上輸送などに用いるコンテナへの収納の観点からも枠体サイズの縮小は、重要な課題となってきている。
【００１５】
基板の輸送形態は、基板を保持した高重量物の枠体を載置できる十分な強度を有するパレット上に枠体を積み重ね、積み重ねた枠体の一番上に蓋を載せベルトなどで固定した積層物を輸送中の振動から和らげる防振台に載置したものをカバーで全体を覆った状態である。
【００１６】
Ｇ６サイズの基板を例にとると、基板のサイズ１８５０×１５００ｍｍに対して、基板を載置する枠体サイズは１９７０×１６７０ｍｍで、上面に載せる蓋サイズは１９７９×１６７０ｍｍで、積層された枠体を載せるパレットサイズは、１９９８×１６９８ｍｍで、これらすべてを載せる防振台サイズは、２００８×１７０８ｍｍとなりＧ６の基板サイズに対して水平方向で２００ｍｍ程度大きくなる。
【００１７】
一方、輸送に使われるコンテナは、海上輸送用のコンテナは、世界中の港で効率的な荷役を実現させるためにＩＳＯ（国際標準化機構）規格でサイズが決められており、世界的には、２０フィート、４０フィート、４５フィート用いられているが、日本では４５フィートコンテナは大きすぎてトレーラーに積載されないため、４０フィートコンテナが一般的に用いられる。
４０フィートコンテナは、長さ（１２．２ｍ）×幅８フィート（２．４３８ｍ）であり、幅方向における外寸２．４３８ｍｍに対して、幅方向における内寸は、約２．３４６〜２．３５２である。
基板サイズは、Ｇ７サイズで２２００＊１９００ｍｍ、Ｇ８サイズで２５００＊２２００ｍｍとなり、これらの梱包体のパレットサイズは、幅方向が２１００ｍｍ以上で２４００ｍｍを超えることも推察され、４０フィートコンテナの内寸幅方向で収納が難しい状態となる。本発明は、このような荷扱いの課題についても解決しようとするものである。
【課題を解決するための手段】
【００１８】
本発明の基板保持用枠体と基板保持用枠体の搬送方法は、以下の各態様に記載の手段により上記の課題を解決するものである。
本発明の第１の態様は、四角形状で剛性のある板状物からなる基板を枠体に載せて保持する基板保持用枠体であって、
断面が矩形状である平坦な金属枠材と前記金属枠材を４隅で連結部により連結した平面視矩形状の金属枠部と、前記金属枠部の４辺の内側に延設して設けた前記基板を支持する基板支持板と、を少なくとも有した構成からなる前記基板保持用枠体であって、
前記連結部は、非吸着部の非磁性体と前記非磁性体の内側に磁性体からなる吸着部とを備えており、前記連結部の前記基板を載せる側の上面は、前記非磁性体の内側に前記吸着部の一つの平面として形成され、前記連結部の前記基板を載せない側の下面は、非磁性体のみで形成されていることを特徴とする基板保持用枠体である。
【００１９】
本発明の第２の態様は、請求項１に記載した基板保持用枠体であって、少なくとも対向する１対の前記金属枠材に吸着ユニットを備え、前記吸着ユニットは、非吸着部の非磁性体と前記非磁性体の内側に磁性体からなる金属枠用吸着部とを備えており、
前記吸着ユニットの前記基板を載せる側の上面は、前記非磁性体の内側に前記金属枠用吸着部の一つの平面として形成され、前記吸着ユニットの前記基板を載せない側の下面は非磁性体のみで形成され、さらに、前記吸着ユニットは、前記吸着ユニットの上面と前記金属枠材の前記基板を載せる側の面が平滑になるように備えられていることを特徴とする基板保持用枠体である。
【００２０】
本発明の第３の態様は、前記吸着部と前記金属枠用吸着部は、軟磁性材料からなることを特徴とする請求項１または２に記載の基板保持用枠体である。
【００２１】
本発明の第４の態様は、前記吸着部及び前記金属枠用吸着部を、枠体搬送装置のロボットハンドに取り付けられたシリンダの先端に設けた電磁石で吸着して懸垂搬送することを特徴とする、請求項１から請求項３のいずれか１項に記載した基板保持用枠体の搬送方法である。
【発明の効果】
【００２２】
従来、枠体搬送装置のロボットハンドが把持する手掛部は、金属枠部から外側に延出している為、搬送時の接触により変形が生じることがあり、これによりロボットハンドによる把持不良が発生する事があった。しかし、本願のように、金属枠部の４隅を連結するコーナーピースに吸着部を設けることにより、金属枠体から外側に延出する手掛部を設ける必要がない為、搬送時の接触による基板保持用枠体が変形するような事例が減少し、ロボットハンドによる枠体の把持不良の発生を防止できる。また、連結部は、非磁性体と該非磁性体の内側に磁性体からなる吸着部を形成した上面と、非磁性体のみで形成された下面からなる構成により、基板保持用枠体を重ねた場合に、磁性体からなる吸着部の上下には非磁性体が重なることにより、磁石等で吸着した場合に、２枚以上の枠体の吸着を防止することができる。
【図面の簡単な説明】
【００２３】
【図１】基板保持用枠体を示す平面図である。
【図２】（a）基板保持用枠体の破線部a〜a´部分の断面図である。            （b）基板保持用枠体を重ねた状態での破線部a〜a´部分の断面図である。            （c）コーナーピースの吸着部の変形例である。
【図３】（a）基板保持用枠体の破線部b〜b´部分の断面図である。            （b）基板保持用枠体を重ねた状態での破線部b〜b´部分の断面図である。
【図４】枠体搬送装置の図である。
【図５】枠体搬送装置の懸垂装置の片側部分の図である。
【図６】枠体搬送装置が基板保持用枠体を懸垂する動作を示す図である。
【図７】従来の基板保持用枠体の一般的形態を示す図である。
【図８】従来の基板保持用枠体の梱包状態を示す図である。
【図９】従来の基板保持用枠体の搬送形態を示す図である。
【発明を実施するための形態】
【００２４】
以下、基板保持用枠体１０について、図面を参照して説明する。
初めに、図１に示すように連結部１６は、金属枠部１１を形成するために、金属枠材１１１a、１１b、１１c、１１dを連結するためのものであり、以後、本説明において連結部１６を、コーナーピース１６に置き換えて説明する。
図１は基板保持用枠体１０を示す平面図である。断面が矩形状である金属枠材１１a、１１b、１１c、１１dをそれぞれコーナーピース１６で連結し、平面視矩形状に組み立てした金属枠部１１が、該金属枠部１１の内側に延設した基板支持板１３と、を有し構成されている。
また、基板保持用枠体１０の基本的形態には、第１形態と第２形態の２種がある。
基板保持用枠体１０の第１形態は、前後左右の四辺の金属枠材１１a、１１ｂ、１１ｃ、１１ｄが平坦な形状のものであり、基板保持用枠体１０の第２形態は、対向する１対の金属枠材１１ａ、１１ｂは平坦であるが、他の対向する１対の金属枠材１１ｃ、１１ｄは、中央部が下方に湾曲した形状のものである。
ここまでの形状は、図７を参照して説明した従来の基板保持用枠体と同様である。
【００２５】
この基板保持用枠体１０の特徴は、１段の枠体の高さが、１０〜２０ｍｍ、好ましくは、１０〜１５ｍｍの高さ範囲に形成されていることと、金属枠材１１a、１１ｂ、１１c,１１ｄを連結するコーナーピース１６は非磁性体で形成され、コーナーピース１６の上面には、基板保持用枠体１０を懸垂するため非磁性体の内側に磁性体からなる吸着部１７を備えている。これにより、基板保持用枠体１０を吸着して保持できることにより、図７にある手掛部１５をなくしている特徴がある。図１では、金属枠材１１aと１１bには金属枠用吸着部１９を有した吸着ユニット１８を装着した状態も示す。吸着ユニット１８は非磁性体で形成され、吸着ユニット１８の上面には、基板保持用枠体１０を懸垂するため非磁性体の内側に磁性体からなる吸着部１８を備えている。薄板基板の大きさや重量に応じて、前述したコーナーピース１６の上面の吸着部１７のみで吸着する他に、金属枠材１１a、１１ｂに装着した吸着ユニット１８を併用して、基板保持用枠体１０を吸着して懸垂する構成もある。
基板保持用枠体１０を低い高さに形成するのは、枠体の多段積み重ね体の基板積載密度を高めるためであり、吸着部１７を備えるのは、手掛部１５をなくすことにより、枠体の多段積み重ね体の体積を小さくすることと、手掛部１５を備えない基板保持用枠体１０を搬送可能にするためである。
また、脱着が容易に可能なコーナーピース１６及び吸着ユニット１８は、それぞれ吸着部１７及び金属枠用吸着部１９を備えていることにより、基板保持用枠体１０を連続して使用すること等により起こりうる汚損や破損が生じた場合でも、容易に交換可能である。
【００２６】
図２aは、図１の基板保持用枠体１０の破線部a〜a´部分の断面図であり、コーナーピース１６に埋め込まれた吸着部１７を有する金属枠部１１の片側の断面図である。図２ｂは、基板保持用枠体１０を重ねた状態での破線部a〜a´部分の断面図である。
図３aは、図１の基板保持用枠体１０の破線部ｂ〜ｂ´部分の断面図であり、吸着ユニット１８に埋め込まれた金属枠用吸着部１９を有する金属枠部１１の片側の断面図である。図３ｂは、基板保持用枠体１０を重ねた状態での破線部ｂ〜ｂ´部分の断面図である。
【００２７】
コーナーピース１６は、非磁性体と該非磁性体の内側に磁性体からなる吸着部１７を設けた構造で、コーナーピース１６の上面２０は、非磁性体の内側に吸着部１７を形成、下面２１は非磁性体のみ形成され、コーナーピース１６の上面２０と下面２１は、金属枠材１１の上面２３と下面２４にそれぞれ平滑となるように形成されている。
吸着部１７は、基板保持用枠体１０を重ねた状態において、図２ｂに示すように上下にある吸着部１７同士が直接接することはなく、間に非磁性体を介す構造となる。これにより磁石等を吸着部１７に当接させて基板保持用枠体１０を吸着する場合、２枚以上の基板保持用枠体１０を吸着するのを防ぐ効果がある。
【００２８】
吸着ユニット１８は、非磁性体と該非磁性体の内側に磁性体からなる金属枠用吸着部１９を設けた構造で、吸着ユニット１８の上面２５は、非磁性体の内側に金属枠用吸着部１９を形成、下面２６は非磁性体のみ形成され、吸着ユニットの上面２５は、金属枠材１１の上面２３と平滑となるように形成されている。金属枠用吸着部１９は、基板保持用枠体１０を重ねた状態において、図３ｂに示すように上下にある金属枠用吸着部１９同士が直接接することはなく、間に非磁性体を介す構造となる。これにより磁石等を金属枠用吸着部１９に当接させて基板保持用枠体１０を吸着する場合、２枚以上の基板保持用枠体１０を吸着するのを防ぐ効果がある。
また、コーナーピース１６の吸着部１７の変形例として、図２ｃに示すように、断面視凹形状からなる吸着部を、凹形状の両端を吸着面としてコーナーピース１６の上面に設け、凹形状の両端に磁石を当接することにより、磁石と吸着部１８で閉ループな磁気回路が構成できることにより漏洩磁束が減少し、２枚以上の基板保持用枠体１０を吸着するのを防ぐ効果がある。図示はないが、吸着ユニット１８の金属枠用吸着部１９も、前述した断面視凹形状からなる吸着部を採用できる。
【００２９】
次に、基板保持用枠体１０を搬送する枠体搬送装置５０について説明する。
初めに図４を用いて、基板保持用枠体１０を吸着して懸垂する枠体搬送装置５０の構成について説明する。
枠体搬送装置５０は、ロボットハンド５５とロボットハンド５５の動作を制御するロボット７０より構成される。ロボットハンド５５は、水平に回転動作をおこなう回転アーム７１と、上下動作と前後動作をおこなう上下アーム７２と、基板保持用枠体１０を吸着保持して懸垂動作をおこなう懸垂装置５６を少なくとも有して構成されている。
【００３０】
次に、図５を用いて懸垂装置５６の構成を説明する。
懸垂装置５６は、基板保持用枠体１０を吸着保持する杵体５７と杵体５７を保持する枠体５４を少なくとも有して構成されている。
杵体５７は、シリンダ駆動装置５８と先端に電磁石６０が取り付けられたシリンダ５９とを具備し、電磁石６０を磁化または非磁化状態にするための、電流を流す配線がシリンダ５９を介して電磁石６０に接続されている。シリンダ駆動装置５８は、シリンダ５９を上下に駆動する装置である。
【００３１】
次に、本発明の枠体搬送装置５０が基板保持用枠体１０を搬送する動作について図６を用いて説明する。尚、電磁石６０を磁化及び非磁化にするための電源スイッチ６５を備える。
【００３２】
図６Ａは、積載された基板保持用枠体１０の上部にロボットハンド５５の先端にある懸垂装置５６が位置している図である。杵体５７の先端にある電磁石６０は未だ基板保持用枠体１０の金属吸着部１７と当接してなく、電源スイッチ６５はＯＦＦの状態にある。
図６Ｂは、シリンダ５９が下降して、先端にある電磁石６０が金属吸着部１７まで下降した図である。電源スイッチ６５は未だＯＦＦの状態である。
図６Ｃは、シリンダ５９が下降して、先端にある電磁石６０がそれぞれ金属吸着部１７に当接した図である。この状態において電源スイッチはＯＮとなる。
図６Ｄは、電源スイッチＯＮの状態でシリンダ５９は上昇、更にロボットハンド５５が上部へ引き上げた状態を示した図である。
【００３３】
Ｇ６サイズのガラス基板を載せた基板保持用枠体１０を吸着するために使用する電磁石の選定について数式１、表１を用いて説明する。
数式１は、物品を懸垂する場合の電磁石の表面磁束密度と吸着面積、及び吸着力の関係を示す式である。
【００３４】
【数１】
2014067770.tif 000003
なお、数式１中の、Ｗは、吸着力〔Ｎ〕、μ０は、真空中の透磁率〔Ｈ/ｍ〕、Ｂｇは、表面磁束密度（Ｔ）、Ｓは吸着面積（ｍ２）、ｆは、安全率（水平吊り）を意味する。
本発明の基板保持用枠体は、電磁石で水平に吊り上げるものであり、数式１で用いられる安全率は４として、電磁石の表面磁束密度と吸着面積の関係から吸着力を求める。
【００３５】
Ｇ６サイズのガラス基板（１８５０×１５００ｍｍ  ０．７ｍｍ厚）の重量は、約５．０ｋｇである。図１に示す基板保持用枠体１０で、Ｇ６世代のガラス基板を保持する基板保持用枠体は、金属枠部の金属枠材の断面が中空で、積み重ねる方向の高さを１０ｍｍで、板の厚さが２ｍｍのアルミニウム製の基板保持用枠体の重量は、５．５ｋｇであり、Ｇ６サイズのガラス基板を保持しや状態での総重量は、１０．５ｋｇであった。
【００３６】
表１は、Ｇ６サイズのガラス基板と該基板保持用枠体を対象に、電磁石の表面磁束密度と吸着面積と関係を、電磁石１個あたりの吸着力を、電磁石の吸着面積を半径５ｍｍから２５ｍｍの範囲で、表面磁束密度を１００から７００ガウスの場合での吸着力〔Ｎ〕を計算した結果を一覧表にしたものである。  １Ｔ（テスラ）＝１００００Ｇ（ガウス）
【００３７】
【表１】
2014067770.tif 000004
【００３８】
Ｇ６サイズのガラス基板を載置した基板保持用枠体の重量が１０．５ｋｇであることより、１０２．９Ｎ以上の吸着力が必要となる。本発明の基板保持用枠体１０は、金属枠部１１の四隅にある樹脂で形成されたコーナーピース１６の上面の吸着部１８と電磁石６０の吸着により、ガラス基板を保持した基板保持用枠体１０を懸垂し搬送する。よって、吸着する箇所は４箇所可能であり、１箇所あたり約２６Ｎ以上の吸着力が必要である。また、対角にあるコーナーピース１６の２箇所での吸着、さらに３箇所の吸着も可能であるが、１つの基板保持用枠体１０のバランスをとるために、４箇所での吸着が安定である。
【００３９】
電磁石６０は、コーナーピース１６の上面の吸着部１７と吸着するものであるため、吸着面積はコーナーピース１６の面積で制約される。コーナーピース１６は、金属枠部１１を形成するための、金属枠材を連結するためのものである。Ｇ６サイズの基板保持用枠体では、該金属枠材の幅は約３０ｍｍから５０ｍｍである。従って、吸着面が円形の電磁石を使用した場合、吸着面の半径は２５ｍｍ以下である必要がある。
【００４０】
上記制約を踏まえて、Ｇ６サイズのガラス基板を保持した基板保持用枠体を吸着するために必要な電磁石を一覧表に沿って説明する。
吸着面が半径２５ｍｍで表面磁束密度３００Ｇの電磁石で吸着可能である。しかし半径２５ｍｍの吸着面では、コーナーピース１６の上面にある吸着部１７の回りを樹脂で囲むことができなくなるため、吸着面が半径１５ｍｍで吸着面積が７０７ｍｍ２、表面磁束密度５００Ｇの電磁石が好適である。
金属枠材に吸着ユニット１８を備えた形態では、電磁石の個数を調整することができることに加え、金属枠材の形状に沿った電磁石を使用することも可能となる。
【００４１】
（材質に関する実施形態）
吸着部１７及び金属枠用吸着部１９に使用する磁性体の材質は、磁束を通過させるが、磁束が供給されない状態では磁力（保持力）を発生させない、軟磁性材料が好適である。例えば、純鉄、ケイ素銅、フェライト、センダスト、パーマロイなどの、磁束が流れやすい高透磁率材料等が好ましい。
【００４２】
コーナーピース１６及び吸着ユニット１８に使用する非磁性体には、強靱で耐衝撃性に優れる樹脂が好適である。また、コーナーピース１６及び吸着ユニット１８に使用する非磁性体は、非磁性金属であってもよい。
【００４３】
金属枠材１１に使用する材料には、軽量で腐食を生じない金属材料を使用できる。具体的には、純アルミニウム、ジュラルミン（アルミ、銅（３．５〜５．５％）、マグネシウム系、アルミニウムーマンガン系等のアルミニウム合金等を使用できる。これらの材料は中空押し出し加工して枠形を製造する。
【実施例】
【００４４】
上述した内容でＧ６サイズ（１８５０＊１５００ｍｍ  ０．７ｍｔ）の大型ガラス基板を高密度に積層し保管および輸送などに用いられる基板保持用枠体について実施形態を説明する。
【００４５】
断面が矩形状の中空構造である金属枠材を、該金属枠材を平面視矩形状に組み立てした金属枠部１１に、中央部が下方に湾曲した１対の金属枠材と該金属枠材に沿って枠内側に延出した基板支持板１３と、平坦な１対の金属枠材と該金属枠材に沿って枠内側に延出した基板支持板１３と、を有した構成の基板保持用枠体１０を厚さ２ｍｍのアルミニウム材を中空押し出し加工で製造した。金属枠部１１は、４隅をポリアミド樹脂で成形されたコーナーピース１６で金属枠材を連結し製造した。コーナーピース１６は、コーナーピース１６の上面と平滑になるように厚さ５ｍｍ、直径２５ｍｍの形状の一般構造用圧延鋼材ＳＳ４００で吸着部１７を形成し、コーナーピース１６に埋め込み製造した。
【００４６】
Ｇ６サイズのガラス基板を保持した基板保持用枠体１０は、ガラス基板重量は５ｋｇ、アルミ製の基板保持用枠体１０は５．５ｋｇであり、総重量１０．５ｋｇであった。
枠体搬送装置５０の杵体５７の先端の電磁石６０は吸着部１７と吸着する部分であり、４隅のコーナーピース１６で吸着するには、前述したように１箇所のコーナーピース１６に吸着する電磁石６０の吸着力が２６Ｎ以上必要であることから、電磁石６０には、株式会社フジタ製、丸型電磁石  形式ＦＳＧＰ−２０（最大吸着力２８Ｎ、直径２０ｍｍ、高さ４０ｍｍ、重量０．０６ｋｇ）を採用した。
【符号の説明】
【００４７】
１０  基板保持用枠体
１１  金属枠部
１１a、１１ｂ  左右の金属枠材
１１c、１１ｄ  前後の金属枠材
１３  基板支持板
１５  手掛部
１６  連結部（コーナーピース）
１７  吸着部
１８  吸着ユニット
１９  金属枠用吸着部
３０  インナーパレット
３１  上蓋
３２  結束ベルト
４０  防振パレット
５０  基板保持用枠体搬送装置
５４  枠体
５５  ロボットハンド
５６  懸垂装置
５７  杵体
５８  シリンダ駆動装置
５９  シリンダ
６０  電磁石
６１  懸垂用シリンダ
６２  引き掛け部
７０  ロボット
７１  回転アーム
７２  上下アーム
１００  基板保持用枠体の多段積み重ね体
Ｋ    基板保持用枠体の空間域
【図１】
2014067770.tif 000005
【図２】
2014067770.tif 000006
【図３】
2014067770.tif 000007
【図４】
2014067770.tif 000008
【図５】
2014067770.tif 000009
【図６】
2014067770.tif 000010
【図７】
2014067770.tif 000011
【図８】
2014067770.tif 000012
【図９】
2014067770.tif 000013